(57)【特許請求の範囲】
【請求項１】
キャリアセンスを行い、無線通信空間が空いているとき無線信号を送信し、前記無線通信空間が空いていないとき前記無線信号の送信を待機する無線通信方式に従って無線フレームを送信する送信機であって、
複数の周波数チャネルを含む所望の周波数帯でキャリアセンスするキャリアセンス手段と、
前記キャリアセンス手段によるキャリアセンスの結果、無線通信空間が空いているとき、受信先の無線装置における無線フレームの検出タイミング間の時間間隔が識別子を表す１つまたは複数の信号検出間隔のうちの１つまたは複数の信号検出間隔を構成するように１つの無線フレームを前記所望の周波数帯で送信し、前記キャリアセンスの結果、前記無線通信空間が空いていないとき、前記１つの無線フレームの送信を待機する送信処理を前記キャリアセンスを行う毎に実行する送信手段とを備える送信機。
【請求項２】
前記送信手段は、前記無線通信空間が空いているとき、前記無線装置における前記識別子の検出タイミングを跨ぐように前記１つの無線フレームを送信する、請求項１に記載の送信機。
【請求項３】
前記送信手段は、任意の基準時刻に基づいて前記１つの無線フレームの送信タイミングを決定し、その決定した送信タイミングで前記１つの無線フレームを送信する、請求項２に記載の送信機。
【請求項４】
前記送信手段は、前記無線通信空間が空いているとき、前記無線通信方式における最大の遅延時間に前記無線装置におけるサンプリング周期を加算した値からなるフレーム長を有する前記１つの無線フレームを前記識別子の検出タイミングを跨ぐように送信する、請求項２に記載の送信機。
【請求項５】
前記送信手段は、最初の無線フレームの送信開始時刻から少なくとも１つの信号検出間隔に相当する時間が経過すると、前記１つの無線フレームを送信する、請求項４に記載の送信機。
【請求項６】
キャリアセンスを行い、無線通信空間が空いているとき無線信号を送信し、前記無線通信空間が空いていないとき前記無線信号の送信を待機する無線通信方式に従って無線フレームを送信する送信方法であって、
複数の周波数チャネルを含む所望の周波数帯でキャリアセンスする第１のステップと、
前記キャリアセンスの結果、無線通信空間が空いているとき、受信先の無線装置における無線フレームの検出タイミング間の時間間隔が識別子を表す１つまたは複数の信号検出間隔のうちの１つまたは複数の信号検出間隔を構成するように１つの無線フレームを前記所望の周波数帯で送信し、前記キャリアセンスの結果、前記無線通信空間が空いていないとき、前記１つの無線フレームの送信を待機する送信処理を前記キャリアセンスを行う毎に実行する第２のステップとを備える送信方法。
【請求項７】
前記第２のステップにおいて、前記１つの無線フレームは、前記無線装置における前記識別子の検出タイミングを跨ぐように送信される、請求項６に記載の送信方法。
【請求項８】
前記第２のステップにおいて、前記１つの無線フレームは、任意の基準時刻に基づいて決定された送信タイミングで送信される、請求項７に記載の送信方法。
【請求項９】
前記第２のステップにおいて、前記無線通信空間が空いているとき、前記無線通信方式における最大の遅延時間に前記無線装置におけるサンプリング周期を加算した値からなるフレーム長を有する前記１つの無線フレームが前記識別子の検出タイミングを跨ぐように送信される、請求項７に記載の送信方法。
【請求項１０】
前記第２のステップにおいて、前記無線通信空間が空いているとき、前記１つの無線フレームは、最初の無線フレームの送信開始時刻から少なくとも１つの信号検出間隔に相当する時間が経過すると送信される、請求項９に記載の送信方法。
【請求項１１】
無線フレームの受信信号を複数の周波数チャネルを含む所望の帯域幅で通過させるフィルタと、
前記フィルタを通過した受信信号を検波する検波手段と、
前記検波手段による検波結果をサンプリング周期でサンプリングして前記検波結果をディジタル信号列に変換する変換手段と、
前記ディジタル信号列に基づいて検出された１つまたは複数の信号検出間隔が識別子に一致するとき、所望の制御を行う制御手段とを備える受信機。
【請求項１２】
前記制御手段は、
前記ディジタル信号列に基づいて識別子を表す１つまたは複数の信号検出間隔を検出するための複数の検出タイミングの全てにおいて第１の閾値よりも大きい値からなる信号が検出されていると判定したとき、前記識別子を受信したことを示す信号を出力するマッチング回路と、
前記マッチング回路から前記識別子を受信したことを示す信号を受けると、所望の制御を行う制御回路とを含む、請求項１１に記載の受信機。
【請求項１３】
前記検波手段による検波結果に基づいて第２の閾値よりも大きい受信信号強度を有する検波信号を検出し、その検出した検波信号を前記変換手段へ出力する検出手段を更に備え、
前記変換手段は、前記検出手段からの検波信号をサンプリング周期でサンプリングして前記検波信号をディジタル信号列に変換する、請求項１１または請求項１２に記載の受信機。
【請求項１４】
請求項１に記載の送信機と、
請求項１１に記載の受信機とを備える無線通信システム。
【発明の詳細な説明】
【技術分野】
【０００１】
この発明は、送信機、それにおける送信方法、送信機から無線信号を受信する受信機およびそれらを備える無線通信システムに関するものである。
【背景技術】
【０００２】
ある無線機が無線フレーム長（時間の長さ）または振幅を変化させながら無線フレームを送信することによって、無線フレームのペイロードのデータの持つ意味を通信することとは別に、無線フレームを受信した受信機が無線フレームのフレーム長または振幅の変化を検出し、その検出したフレーム長または振幅の変化を情報として扱うことで、送信機は、ある識別子に対応した無線信号を送信し、受信機が識別子を受信した場合に、その識別子の受信に応じてスリープ状態から起動状態へ移行するための指示等の制御を遠隔から行うことができるシステムがある。【０００３】
このシステムにおいて、無線方式にＩＳＭ（Industry Science Medical band）帯のＩＥＥＥ８０２．１１方式の無線ＬＡＮ（Local Area Network）を用いると、送信側の無線機は、同期検波回路を備え、ＩＳＭ帯の中でチャネルＣＨ１からチャネルＣＨ１４に区切られた無線チャネルのうちの特定の１チャネルの周波数幅（２２ＭＨｚ幅）で帯域制限した信号の強度からＣＳＭＡ／ＣＡ（Carrier Sense Multiple Access with Collision Detection）によるキャリアセンスを実行し、その結果に基づいて無線フレームを送信する。【０００４】
無線フレームを受信する無線機は、通常の無線ＬＡＮの通信処理であれば、同期検波を備えた無線インタフェースによって、無線ＬＡＮフレームをペイロードデータに復調および復号する。【０００５】
一方、フレーム長または振幅の変化を検出する制御においては、回路規模、処理を単純化し、省電力な構成とする目的のために、ＲＦフィルタで帯域制限された信号は、非同期検波である包絡線検波によって受信される。【０００６】
同期検波では、ＲＦフィルタで帯域制限した信号を中間周波数信号または基底帯域信号に変換し、その変換した周波数で更に狭帯域のフィルタを適用して所望の帯域幅に帯域制限を行うが、非同期検波では、周波数変換を行わないため、ＲＦフィルタの特性に応じた周波数帯域幅の信号を観測する。【０００７】
２．４ＧＨｚのＩＳＭ帯を帯域通過させるＲＦフィルタは、ＩＳＭ帯の全帯域（チャネルＣＨ１からチャネルＣＨ１４（約１００ＭＨｚ幅））をカバーできるように、比較的広帯域なものが広く流通しており、狭帯域のフィルタを追加することは、価格面および実装面積の面でも、現実的ではない。【０００８】
非同期検波を行う無線通信方式において、従来、無線フレームの有無または無線フレームの振幅の変化を制御識別子とする方式が知られている（特許文献１）。【０００９】
また、ＩＥＥＥ８０２．１１による信号で無線フレームの送信タイミングの制御を行い、無線フレームの有無によってＯＯＫ（On Off Keying）信号を送信する方式が知られている（特許文献２）。
【特許文献１】特開２００９−０５５５３３号公報
【特許文献２】特開２００９−０７７３７５号公報
【非特許文献１】E. H. Armstrong, “Some recent developments of regenerative circuits,” Proc. Inst. Radio Eng., Vol. 10, pp. 244-260, Aug. 1922.
【発明の開示】
【００１０】
しかし、特許文献１，２においては、別のチャネルからの干渉波が考慮されていないため、別のチャネルからの干渉波が存在する場合、スリープ状態から起動状態へ移行させたい無線装置が起動状態へ移行しないという問題がある。つまり、干渉波が存在する場合、無線装置を正確に制御することが困難であるという問題がある。
【００１１】
そこで、この発明は、かかる問題を解決するためになされたものであり、その目的は、干渉波が存在する場合でも所望の制御が可能な送信機を提供することである。
【００１２】
また、この発明の別の目的は、干渉波が存在する場合でも所望の制御が可能な送信方法を提供することである。
【００１３】
更に、この発明の別の目的は、干渉波が存在する場合でも所望の制御が可能な送信機から無線信号を受信する受信機を提供することである。
【００１４】
更に、この発明の別の目的は、干渉波が存在する場合でも所望の制御が可能な無線通信システムを提供することである。
【００１５】
この発明の実施の形態によれば、送信機は、キャリアセンスを行い、無線通信空間が空いているとき無線信号を送信し、無線通信空間が空いていないとき無線信号の送信を待機する無線通信方式に従って無線フレームを送信する送信機であって、キャリアセンス手段と、送信手段とを備える。キャリアセンス手段は、複数の周波数チャネルを含む所望の周波数帯でキャリアセンスする。送信手段は、キャリアセンス手段によるキャリアセンスの結果、無線通信空間が空いているとき、受信先の無線装置における無線フレームの検出タイミング間の時間間隔が識別子を表す１つまたは複数の信号検出間隔のうちの１つまたは複数の信号検出間隔を構成するように１つの無線フレームを所望の周波数帯で送信し、キャリアセンスの結果、無線通信空間が空いていないとき、１つの無線フレームの送信を待機する送信処理をキャリアセンスを行う毎に実行する。
【００１６】
また、この発明の実施の形態によれば、送信方法は、キャリアセンスを行い、無線通信空間が空いているとき無線信号を送信し、無線通信空間が空いていないとき無線信号の送信を待機する無線通信方式に従って無線フレームを送信する送信方法であって、複数の周波数チャネルを含む所望の周波数帯でキャリアセンスする第１のステップと、キャリアセンスの結果、無線通信空間が空いているとき、受信先の無線装置における無線フレームの検出タイミング間の時間間隔が識別子を表す１つまたは複数の信号検出間隔のうちの１つまたは複数の信号検出間隔を構成するように１つの無線フレームを所望の周波数帯で送信し、キャリアセンスの結果、無線通信空間が空いていないとき、１つの無線フレームの送信を待機する送信処理をキャリアセンスを行う毎に実行する第２のステップとを備える。
【００１７】
更に、この発明の実施の形態によれば、受信機は、フィルタと、検波手段と、変換手段と、制御手段とを備える。フィルタは、無線フレームの受信信号を複数の周波数チャネルを含む所望の帯域幅で通過させる。検波手段は、フィルタを通過した受信信号を検波する。変換手段は、検波手段による検波結果をサンプリング周期でサンプリングして検波結果をディジタル信号列に変換する。制御手段は、ディジタル信号列に基づいて検出された１つまたは複数の信号検出間隔が識別子に一致するとき、所望の制御を行う。
【００１８】
更に、この発明の実施の形態によれば、無線通信システムは、請求項１から請求項５のいずれか１項に記載の送信機と、請求項１１から請求項１３のいずれか１項に記載の受信機とを備える。
【００１９】
この発明の実施の形態による送信機は、無線通信空間が空いているとき、受信先の無線装置における無線フレームの検出タイミング間の時間間隔が識別子を表す１つまたは複数の信号検出間隔のうちの１つまたは複数の信号検出間隔を構成するように１つの無線フレームを所望の周波数帯で送信し、無線通信空間が空いていないとき、無線フレームの送信を待機する。そして、無線通信空間が空いていないとき、送信機以外の無線装置が無線フレームを送信する。その結果、受信先の無線装置は、無線通信空間が空いているとき、送信機からの無線フレームを受信し、無線通信空間が空いていないとき、送信機以外の無線装置から無線フレームを受信する。そして、受信先の無線装置は、送信機、および送信機以外の無線装置から受信した無線フレームの受信信号に基づいて検出された１つまたは複数の信号検出間隔が識別子に一致するとき、所望の制御を行う。
【００２０】
従って、干渉波が存在する場合でも、所望の制御を行うことができる。
【００２１】
また、この発明の実施の形態による送信方法は、無線通信空間が空いているとき、受信先の無線装置における無線フレームの検出タイミング間の時間間隔が識別子を表す１つまたは複数の信号検出間隔のうちの１つまたは複数の信号検出間隔を構成するように１つの無線フレームを所望の周波数帯で送信し、無線通信空間が空いていないとき、無線フレームの送信を待機する。
【００２２】
従って、上述したように、干渉波が存在する場合でも、所望の制御を行うことができる。
【００２３】
更に、この発明の実施の形態による受信機は、複数の周波数チャネルを含む帯域幅を通過した受信信号の検波結果をディジタル信号列に変換し、その変換したディジタル信号列に基づいて検出された１つまたは複数の信号検出間隔が識別子に一致するとき、所望の制御を行う。その結果、送信機からの受信信号と、送信機以外の無線装置からの受信信号との少なくとも一方に基づいて１つまたは複数の信号検出間隔が検出され、その検出された１つまたは複数の信号検出間隔が識別子に一致するとき、所望の制御が行われる。
【００２４】
従って、干渉波が存在する場合でも、所望の制御を行うことができる。
【図面の簡単な説明】
【００２５】
【図１】この発明の実施の形態１による無線通信システムの概略図である。
【図２】図１に示す送信機の構成を示す概略図である。
【図３】図１に示す受信機の構成を示す概略図である。
【図４】図３に示すマッチング回路の回路図である。
【図５】周波数帯の概念図である。
【図６】受信機のＩＤを表す信号検出間隔の概念図である。
【図７】図１に示す送信機における無線フレームの送信方法を説明するための図である。
【図８】送信機１における無線フレームの送信方法を示すフローチャートである。
【図９】図１に示す送信機における無線フレームの他の送信方法を説明するための図である。
【図１０】送信機における無線フレームの他の送信方法を示すフローチャートである。
【図１１】無線信号および包絡線の概念図である。
【図１２】マッチング回路の具体例を示す回路図である。
【図１３】非同期検波における受信信号の概念図である。
【図１４】複数のチャネルからの無線信号を受信する場合の概念図である。
【図１５】無線通信システムにおいて受信機をスリープ状態から起動状態へ移行させる動作を示すフローチャートである。
【図１６】図１に示す受信機の他の構成を示す概略図である。
【図１７】閾値の決定方法を説明する図である。
【図１８】無線通信システムにおいて図１６に示す受信機をスリープ状態から起動状態へ移行させる動作を示すフローチャートである。
【図１９】図１に示す受信機の更に他の構成を示す概略図である。
【図２０】図１９に示す同期検波回路の構成を示す概略図である。
【図２１】無線通信システムにおいて受信機をスリープ状態から起動状態へ移行させる他の動作を示すフローチャートである。
【図２２】実施の形態２による無線通信システムの構成を示す概略図である。
【図２３】図２２に示す受信機の構成を示す概略図である。
【図２４】図２２に示す無線通信システムにおける動作を示すフローチャートである。
【図２５】実施の形態３による無線通信システムの構成を示す概略図である。
【図２６】図２５に示す送信機の構成を示す概略図である。
【図２７】図２５に示す受信機の構成を示す概略図である。
【図２８】図２５に示すサーバの構成を示す概略図である。
【図２９】図２５に示す無線通信システムにおける動作を示すフローチャートである。
【発明を実施するための最良の形態】
【００２６】
本発明の実施の形態について図面を参照しながら詳細に説明する。なお、図中同一または相当部分には同一符号を付してその説明は繰返さない。【００２７】
［実施の形態１］
図１は、この発明の実施の形態１による無線通信システムの概略図である。図１を参照して、この発明の実施の形態１による無線通信システム１０は、送信機１と、受信機２とを備える。【００２８】
送信機１は、受信機２をスリープ状態から起動状態へ移行させるとき、ＣＳＭＡ／ＣＡの無線通信方式に従って、受信機２のＩＤ（＝識別子）が受信機２で検出されるように複数の周波数チャネルを含む所望の周波数帯で無線フレームを受信機２へ送信する。なお、所望の周波数帯は、例えば、ＩＳＭ帯からなる。また、ＣＳＭＡ／ＣＡの無線通信方式とは、キャリアセンスを行い、無線通信空間が空いているとき無線信号を送信し、無線通信空間が空いていないとき無線信号の送信を待機する無線通信方式を言う。【００２９】
受信機２は、複数の周波数チャネルを含む所望の周波数帯で無線フレームを送信機１から受信し、その受信した無線フレームが自己のＩＤに一致するとき、スリープ状態から起動状態へ移行する。【００３０】
図２は、図１に示す送信機１の構成を示す概略図である。図２を参照して、送信機１は、ホストシステム１１と、無線インタフェース１２と、アンテナ１３とを含む。【００３１】
ホストシステム１１は、受信機２のＩＤを保持している。そして、ホストシステム１１は、受信機２をスリープ状態から起動状態へ移行させたい場合、保持している受信機２のＩＤを表す信号検出間隔が受信機２で検出されるように無線インタフェース１２における無線フレームの送信タイミングを制御する。【００３２】
無線インタフェース１２は、ホストシステム１１からの制御に従ってアンテナ１３を介してキャリアセンスを行い、そのキャリアセンスの結果をホストシステム１１へ出力する。また、無線インタフェース１２は、ホストシステム１１によって制御された送信タイミングで無線フレームをアンテナ１３を介して受信機２へ送信する。【００３３】
ホストシステム１１は、キャリアセンス結果取得部１１１と、送信タイミング制御部１１２とを含む。【００３４】
キャリアセンス結果取得部１１１は、キャリアセンスを行うように無線インターフェース１２を制御する。また、キャリアセンス結果取得部１１１は、無線インタフェース１２からキャリアセンスの結果を受け、その受けたキャリアセンスの結果を送信タイミング制御部１１２へ出力する。【００３５】
送信タイミング制御部１１２は、キャリアセンス結果取得部１１１からキャリアセンスの結果を受け、その受けたキャリアセンスの結果に基づいて送信制御を行い、受信機２のＩＤに基づいて、無線インタフェース１２における無線フレームの送信タイミングを制御し、無線フレームを送信したい時間帯に、キャリアセンスの結果に基づいて無線通信空間が空いていると判定したとき、無線フレームを送信する。また、送信タイミング制御部１１２は、無線フレームを送信したい時間帯に、キャリアセンスの結果に基づいて、無線通信空間が空いていないと判定したとき、無線インタフェース１２における無線フレームを送信しない。【００３６】
図３は、図１に示す受信機２の構成を示す概略図である。図３を参照して、受信機２は、アンテナ２１と、広帯域ＲＦフィルタ２２と、スイッチ２３と、端子２４，２５と、包絡線検波回路２６と、信号検出回路２７と、マッチング回路２８と、制御回路２９と、無線インタフェース３０と、ホストシステム３１とを含む。【００３７】
広帯域ＲＦフィルタ２２は、アンテナ２１とスイッチ２３との間に接続される。端子２４は、包絡線検波回路２６に接続される。端子２５は、無線インタフェース３０に接続される。【００３８】
広帯域ＲＦフィルタ２２は、アンテナ２１を介して無線フレームの受信信号を受信し、その受信した受信信号のうち、所望の周波数帯に含まれる受信信号だけをスイッチ２３へ出力する。【００３９】
スイッチ２３は、制御回路２９からの制御に従って端子２４または端子２５に接続される。より具体的には、スイッチ２３は、Ｌ（論理ロー）レベルの信号を制御回路２９から受けると、端子２４に接続される。また、スイッチ２３は、Ｈ（論理ハイ）レベルの信号を制御回路２９から受けると、端子２５に接続される。そして、スイッチ２３は、広帯域ＲＦフィルタ２２から受信信号を受け、その受けた受信信号を包絡線検波回路２６または無線インタフェース３０へ出力する。【００４０】
包絡線検波回路２６は、スイッチ２３から端子２４を介して受信信号を受け、その受けた受信信号を包絡線検波し、その検波した包絡線を信号検出回路２７へ出力する。【００４１】
信号検出回路２７は、包絡線を包絡線検波回路２６から受ける。そして、信号検出回路２７は、サンプリング周期で包絡線をサンプリングしてディジタル信号列に変換し、その変換したディジタル信号列をマッチング回路２８へ出力する。【００４２】
マッチング回路２８は、サンプリング結果を信号検出回路２７から受け、その受けたサンプリング結果に基づいて、受信機２が受信した受信信号が受信機２のＩＤに一致するか否かを判定する。そして、マッチング回路２８は、受信機２が受信した受信信号が受信機２のＩＤに一致するとき、“１”からなる信号を制御回路２９へ出力し、受信機２が受信した受信信号が受信機２のＩＤに一致しないとき、“０”からなる信号を制御回路２９へ出力する。ここで、“１”からなる信号は、受信機２のＩＤを受信したことを示す信号であり、“０”からなる信号は、受信機２のＩＤを受信しなかったことを示す信号である。【００４３】
制御回路２９は、マッチング回路２８からＨレベルの信号を受けると、無線インタフェース３０およびホストシステム３１をスリープ状態から起動状態へ移行させる。そして、制御回路２９は、Ｈレベルの信号をスイッチ２３へ出力する。【００４４】
また、制御回路２９は、マッチング回路２８からＬレベルの信号を受けると、無線インタフェース３０およびホストシステム３１のスリープ状態を維持する。【００４５】
更に、制御回路２９は、無線インタフェース３０およびホストシステム３１が起動状態にあるときに、ホストシステム３１が、一定期間、無線通信を行っていないことを検知したとき、無線インタフェース３０およびホストシステム３１を起動状態からスリープ状態へ移行させ、Ｌレベルの信号をスイッチ２３へ出力する。【００４６】
無線インタフェース３０は、制御回路２９からの制御に従ってスリープ状態から起動状態へ移行し、または起動状態からスリープ状態へ移行する。また、無線インタフェース３０は、端子２５を介してスイッチ２３から受信信号を受け、その受けた受信信号を復調および復号してホストシステム３１へ出力する。更に、無線インタフェース３０は、ホストシステム３１から送信信号を受けると、その受けた送信信号を変調して端子２５、スイッチ２３、広帯域ＲＦフィルタ２２およびアンテナ２１を介して送信する。【００４７】
ホストシステム３１は、制御回路２９からの制御に従ってスリープ状態から起動状態へ移行し、または起動状態からスリープ状態へ移行する。また、ホストシステム３１は、無線インタフェース３０から信号を受ける。更に、ホストシステム３１は、送信信号を生成し、その生成した送信信号を無線インタフェース３０へ出力する。【００４８】
なお、受信機２においては、無線インタフェース３０およびホストシステム３１が動作を停止し、かつ、広帯域ＲＦフィルタ２２、包絡線検波回路２６、信号検出回路２７、マッチング回路２８および制御回路２９が動作している状態を「スリープ状態」と言い、広帯域ＲＦフィルタ２２、包絡線検波回路２６、信号検出回路２７、マッチング回路２８、制御回路２９、無線インタフェース３０およびホストシステム３１が動作している状態を「起動状態」と言う。【００４９】
また、受信機２は、図３に示す構成において、スイッチ２３および端子２４，２５を削除し、アンテナ２１および広帯域ＲＦフィルタ２２に代えて、広帯域ＲＦフィルタを介して包絡線検波回路２６に接続されたアンテナと、広帯域ＲＦフィルタを介して無線インタフェース３０に接続されたアンテナとを備えていてもよい。【００５０】
図４は、図３に示すマッチング回路２８の回路図である。図４を参照して、マッチング回路２８は、フリップフロップ４１〜４ｉ（ｉは正の整数），５１〜５ｊ（ｊは正の整数），ｐ１〜ｐｋ（ｐは、受信機２のＩＤを構成する信号検出間隔の個数に等しい整数、ｋは、正の整数）と、ＡＮＤ回路６１〜６ｐとを含む。【００５１】
フリップフロップ４１〜４ｉ，５１〜５ｊ，・・・，ｐ１〜ｐｋは、直列に接続される。フリップフロップ４１〜４ｉ，５１〜５ｊ，・・・，ｐ１〜ｐｋの各々は、クロックＣＬＫに同期して動作する。なお、クロックＣＬＫの周期は、受信機２におけるサンプリング周期Ｔと同じである。【００５２】
フリップフロップ４１〜４ｉ，５１〜５ｊ，・・・，ｐ１〜ｐｋ−１は、それぞれ、フリップフロップ４２〜４ｉ，５１，５２〜５ｊ，・・・，ｐ１，ｐ２〜ｐｋから信号を受ける。フリップフロップｐｋは、信号検出回路２７からディジタル信号を受ける。そして、フリップフロップ４２〜４ｉ，５１〜５ｊ，・・・，ｐ１〜ｐｋは、信号をクロックＣＬＫの一周期分保持し、その保持した信号をそれぞれフリップフロップ４１〜４ｉ−１，４ｉ，５１〜５ｊ−１，５ｊ，・・・，ｐ１〜ｐｋ−１へ出力する。また、フリップフロップ４１は、信号をＡＮＤ回路６１へ出力し、フリップフロップ５１は、信号をＡＮＤ回路６２へも出力し、以下、同様にして、フリップフロップ回路ｐ１は、信号をＡＮＤ回路６ｐへも出力する。【００５３】
ＡＮＤ回路６１は、フリップフロップ４１からの信号とＡＮＤ回路６２からの信号との論理積を演算し、その演算結果を制御回路２９へ出力する。ＡＮＤ回路６２は、フリップフロップ５１からの信号と、ＡＮＤ回路６３（図示せず）からの信号との論理積を演算し、その演算結果をＡＮＤ回路６１へ出力する。以下、同様にして、ＡＮＤ回路６ｐは、フリップフロップｐ１からの信号と信号検出回路２７からの信号との論理積を演算し、その演算結果をＡＮＤ回路６ｐ−１（図示せず）へ出力する。【００５４】
受信機２のＩＤを信号検出間隔によって表した場合、フリップフロップ４１〜４ｉは、ＩＤを構成する複数の信号検出間隔のうち、最初の信号検出間隔に相当する時間間隔を検出し、フリップフロップ５１〜５ｊは、ＩＤを構成する複数の信号検出間隔のうち、２番目の信号検出間隔に相当する時間間隔を検出し、以下、同様にして、フリップフロップｐ１〜ｐｋは、ＩＤを構成する複数の信号検出間隔のうち、最後の信号検出間隔に相当する時間間隔を検出する。【００５５】
図５は、周波数帯の概念図である。図５を参照して、周波数帯ＢＷは、ＩＳＭ帯の周波数帯である。そして、周波数帯ＢＷは、チャネルＣＨ１〜ＣＨ１４を含む。【００５６】
スペクトラムＳＰ１は、所望波のスペクトラムであり、スペクトラムＳＰ２は、他チャネルの所望波以外のスペクトラムである。【００５７】
このように、周波数帯ＢＷは、複数の周波数チャネルを含む周波数帯である。【００５８】
送信機１は、チャネルＣＨ１の周波数帯でキャリアセンスし、チャネルＣＨ１の周波数帯が空いていれば、無線フレームを送信する。【００５９】
図３に示す広帯域ＲＦフィルタ２２は、無線信号の受信信号のうち、周波数帯ＢＷの信号を通過させる。従って、受信機２は、送信機１が送信する無線フレーム以外にも、チャネルＣＨ１と異なるチャネルＣＨ９等で送信される無線フレームを受信する。【００６０】
図６は、受信機２のＩＤを表す信号検出間隔の概念図である。図６を参照して、受信機２のＩＤは、例えば、３個の信号検出間隔Ｓ１，Ｓ２，Ｓ３のパターン［Ｓ１Ｓ２Ｓ３］からなる。受信機２における包絡線のサンプリング周期をＴとすると、信号検出間隔Ｓ１は、２Ｔからなり、信号検出間隔Ｓ２は、３Ｔからなり、信号検出間隔Ｓ３は、４Ｔからなる。なお、サンプリング周期Ｔは、例えば、５００μｓである。【００６１】
３個の信号検出間隔Ｓ１，Ｓ２，Ｓ３を検出するためには、４個の検出タイミングＤＴ１〜ＤＴ４において受信信号が“１”であることを検出する必要がある。【００６２】
そこで、検出タイミングの個数をｋ（ｋは、２以上の整数）とすると、受信機２のＩＤは、ｋ−１個の信号検出間隔Ｓ１〜Ｓｋ−１によって表される。例えば、ｋ＝ｎ、０≦Ｓｉ≦ｍＴ（ｉ＝１，２，・・・，ｎ−１、ｍは正の整数）とすると、表１に示すｍｎ−１個のＩＤを信号検出間隔Ｓ１〜Ｓｎ−１によって表すことができる。【００６３】
【表１】
0006055813.tif 000002
【００６４】
従って、この発明の実施の形態１においては、スリープ状態から起動状態へ移行させたい受信機２のＩＤを表１に示すｍｎ−１個のＩＤのいずれかによって表す。【００６５】
図７は、図１に示す送信機１における無線フレームの送信方法を説明するための図である。【００６６】
図７の（ａ）は、受信機２における信号検出間隔の検出タイミングを示し、図７の（ｂ）は、送信機１における無線フレームの送信制御基準タイミングを示す。【００６７】
図７を参照して、受信機２のＩＤは、上述した信号検出間隔のパターン［Ｓ１Ｓ２Ｓ３］からなる。送信機１は、受信機２が検出タイミングＤＴ１〜ＤＴ４において受信信号が“１”であることを検出することによって、２Ｔの信号検出間隔Ｓ１、３Ｔの信号検出間隔Ｓ２、および４Ｔの信号検出間隔Ｓ３を検出できるように、４個の無線フレームＦＲ１〜ＦＲ４を順次送信する。【００６８】
より具体的に説明する。送信機１は、Ｔのフレーム長を有する無線フレームＦＲ１を送信する。そして、送信機１は、無線フレームＦＲ１の送信終了時刻を無線フレームＦＲ２〜ＦＲ４の送信基準時刻とする（図７の（ｂ）参照）。【００６９】
受信機２は、無線フレームＦＲ１を受信することによって、検出タイミングＤＴ１で受信信号が“１”であることを検出できる。その結果、信号検出間隔Ｓ１，Ｓ２，Ｓ３を検出する基準が決定されることになる。【００７０】
その後、送信機１は、受信機２が検出タイミングＤＴ２で受信信号が“１”であることを検出できるように、無線フレームＦＲ２を送信する。即ち、送信機１は、送信予備時刻ｄだけ送信制御基準タイミングよりも前から無線フレームＦＲ２の送信を試み、無線フレームＦＲ２が検出タイミングＤＴ２を跨ぐように送信する。なお、送信予備時刻ｄは、例えば、１００μｓである。【００７１】
引き続いて、送信機１は、同様にして、無線フレームＦＲ３，ＦＲ４を順次送信する（図７の（ｂ）参照）。【００７２】
図８は、送信機１における無線フレームの送信方法を示すフローチャートである。なお、図８に示すフローチャートは、下位レイヤ（ＭＡＣ層および物理層）で実行されるフローチャートである。【００７３】
図８を参照して、無線フレームの送信が開始されると、送信機１において、送信タイミング制御部１１２は、無線フレームの長さＬをＬ＝Ｔに設定する（ステップＳ１）。【００７４】
そして、キャリアセンス結果取得部１１１は、キャリアセンスを行うように無線インタフェース１２を制御し、無線インタフェース１２は、例えば、チャネルＣＨ１の周波数帯でキャリアセンスを行い（ステップＳ２）、そのキャリアセンスの結果をキャリアセンス結果取得部１１１へ出力する。【００７５】
そして、キャリアセンス結果取得部１１１は、その受けたキャリアセンスの結果を送信タイミング制御部１１２へ出力する。【００７６】
送信タイミング制御部１１２は、キャリアセンス結果取得部１１１から受けたキャリアセンスの結果に基づいて、チャネルＣＨ１の周波数帯が空いているか否かを判定する（ステップＳ３）。【００７７】
ステップＳ３において、チャネルＣＨ１の周波数帯が空いていないと判定されたとき、ステップＳ２，Ｓ３が繰り返し実行される。即ち、送信機１は、無線フレームの送信を待機する。【００７８】
そして、ステップＳ３において、チャネルＣＨ１の周波数帯が空いていると判定されると、送信タイミング制御部１１２は、Ｔのフレーム長を有する無線フレームを送信するように無線インタフェース１２を制御し、無線インタフェース１２は、送信タイミング制御部１１２からの制御に従って、無線フレームをアンテナ１３を介して送信する（ステップＳ４）。【００７９】
そうすると、送信タイミング制御部１１２は、内蔵しているタイマーの時刻ｔをｔ＝０に設定し（ステップＳ５）、フレーム送信終了時刻ｙをｙ＝０に設定する（ステップＳ６）。【００８０】
そして、送信タイミング制御部１１２は、ｉ＝１を設定し（ステップＳ７）、ｙ＝ｙ＋Ｓｉを設定する（ステップＳ８）。【００８１】
その後、送信タイミング制御部１１２は、ｔ≧ｙ−Ｔ−ｄであるか否かを判定する（ステップＳ９）。ステップＳ９において、ｔ≧ｙ−Ｔ−ｄであると判定されると、送信タイミング制御部１１２は、ｔ≧ｙであるか否かを更に判定する（ステップＳ１０）。ステップＳ１０において、ｔ≧ｙであると判定されると、一連の動作は、ステップＳ１５へ移行する。【００８２】
一方、ステップＳ１０において、ｔ＜ｙであると判定されると、キャリアセンス結果取得部１１１は、キャリアセンスを行うように無線インタフェース１２を制御し、無線インタフェース１２は、例えば、チャネルＣＨ１の周波数帯でキャリアセンスを行い（ステップＳ１１）、そのキャリアセンスの結果をキャリアセンス結果取得部１１１へ出力する。【００８３】
キャリアセンス結果取得部１１１は、無線インタフェース１２からキャリアセンスの結果を受け、その受けたキャリアセンスの結果を送信タイミング制御部１１２へ出力する。【００８４】
送信タイミング制御部１１２は、キャリアセンス結果取得部１１１から受けたキャリアセンスの結果に基づいて、チャネルＣＨ１の周波数帯が空いているか否かを判定する（ステップＳ１２）。【００８５】
ステップＳ１２において、チャネルＣＨ１の周波数帯が空いていないと判定されたとき、ステップＳ１１，Ｓ１２が繰り返し実行される。即ち、送信機１は、無線フレームの送信を待機する。【００８６】
ステップＳ１２において、チャネルＣＨ１の周波数帯が空いていると判定されたとき、送信タイミング制御部１１２は、フレーム長ＬをＬ＝ｙ−ｔに設定し（ステップＳ１３）、Ｌ＝ｙ−ｔのフレーム長を有する無線フレームを送信するように無線インタフェース１２を制御する。そして、無線インタフェース１２は、送信タイミング制御部１１２からの制御に従って、無線フレームを送信する（ステップＳ１４）。【００８７】
そうすると、ステップＳ１０においてｔ≧ｙであると判定されたとき、またはステップＳ１４の後、送信タイミング制御部１１２は、ｉ＝ｎ−１であるか否かを判定する（ステップＳ１５）。【００８８】
ステップＳ１５において、ｉ＝ｎ−１でないと判定されたとき、送信タイミング制御部１１２は、ｉ＝ｉ＋１を設定する（ステップＳ１６）。その後、一連の動作は、ステップＳ８へ戻り、ステップＳ１５において、ｉ＝ｎ−１であると判定されるまで、上述したステップＳ８〜ステップＳ１６が繰り返し実行される。そして、ステップＳ１５において、ｉ＝ｎ−１であると判定されると、送信機１における無線フレームの送信動作は、終了する。【００８９】
上述したステップＳ１〜ステップＳ４によって、図７の（ｂ）に示す無線フレームＦＲ１が送信される。そして、無線フレームＦＲ１の送信終了時刻がタイマー時刻ｔの基準（＝０）に設定される（ステップＳ５参照）。その後、フレーム送信終了時刻ｙが“０”に設定される（ステップＳ６）。【００９０】
ステップＳ８〜ステップＳ１４が１回目に実行されることによって、無線フレームＦＲ２が送信される。より具体的に説明する。Ｓ１＝２Ｔであるので、フレーム送信終了時ｙは、ステップＳ８のｙ＝ｙ＋Ｓ１によって、無線フレームＦＲ１の送信終了時刻から２Ｔ経過後の送信制御基準タイミングｔ１に設定される（図７の（ｂ）参照）。【００９１】
また、ｙ−Ｔ−ｄは、タイミングｔ２である（図７の（ｂ）参照）。従って、ステップＳ９において、ｔ≧ｙ−Ｔ−ｄであるか否かを判定することは、タイマー時刻ｔがタイミングｔ２に達しているか否かを判定することに相当する。そして、ｔ≧ｙ−Ｔ−ｄであると判定されることは、無線フレームＦＲ２を送信するタイミングに達していると判定することに相当する。【００９２】
更に、ステップＳ１０において、ｔ≧ｙであるか否かを判定するのは、タイマー時刻ｔがフレーム送信終了時刻ｙ（＝送信制御基準タイミングｔ１）に達しているか否かを判定するためである。そして、タイマー時刻ｔがフレーム送信終了時刻ｙ（＝送信制御基準タイミングｔ１）に達していないとき、キャリアセンスが行われ、チャネルＣＨ１の周波数帯が空いているとき、フレーム長Ｌ＝ｙ−ｔ（＝ｔ１−ｔ２）の無線フレームＦＲ２が送信される（ステップＳ１０の“ＮＯ”，ステップＳ１１〜ステップＳ１４参照）。【００９３】
ステップＳ８〜ステップＳ１４が２回目に実行されることによって、無線フレームＦＲ３が送信される。Ｓ２＝３Ｔであるので、フレーム送信終了時刻ｙは、ステップＳ８のｙ＝ｙ＋Ｓ２によって、無線フレームＦＲ２の送信終了時刻（＝ｔ１）から３Ｔ経過後の送信制御基準タイミングｔ３に設定される（図７の（ｂ）参照）。【００９４】
また、ｙ−Ｔ−ｄは、タイミングｔ４である（図７の（ｂ）参照）。従って、タイマー時刻ｔがタイミングｔ４に達し、かつ、送信制御基準タイミングｔ３を経過していないとき、無線フレームＦＲ３が送信される（ステップＳ９の“ＹＥＳ”，ステップＳ１０の“ＮＯ”，ステップＳ１１〜ステップＳ１４参照）。【００９５】
それ以降、同様にして、無線フレームＦＲ４が送信される。【００９６】
なお、無線フレームＦＲ１〜ＦＲ４が図８に示すフローチャートに従って送信される場合、無線フレームＦＲ１は、Ｔのフレーム長を有し、無線フレームＦＲ２〜ＦＲ４の各々は、ｙ−ｔのフレーム長を有する。【００９７】
図９は、図１に示す送信機１における無線フレームの他の送信方法を説明するための図である。【００９８】
図９の（ａ）は、受信機２における信号検出間隔の検出タイミングを示し、図９の（ｂ）は、送信機１における無線フレームの送信制御基準タイミングを示す。【００９９】
図９を参照して、受信機２のＩＤは、上述した信号検出間隔のパターン［Ｓ１Ｓ２Ｓ３］からなる。送信機１は、受信機２が検出タイミングＤＴ１〜ＤＴ４において受信信号が“１”であることを検出することによって、２Ｔの信号検出間隔Ｓ１、３Ｔの信号検出間隔Ｓ２、および４Ｔの信号検出間隔Ｓ３を検出できるように、４個の無線フレームＦＲ１〜ＦＲ４を順次送信する。【０１００】
より具体的に説明する。送信機１は、任意の送信制御基準タイミング（＝送信基準時刻）に同期して無線フレームＦＲ１を送信する。そして、送信機１は、送信基準時刻から２Ｔの信号検出間隔Ｓ１に相当する時間が経過すると、無線フレームＦＲ２を送信する。更に、送信機１は、無線フレームＦＲ２の送信開始時刻から３Ｔの信号検出間隔Ｓ２に相当する時間が経過すると、無線フレームＦＲ３を送信する。更に、送信機１は、無線フレームＦＲ３の送信開始時刻から４Ｔの信号検出間隔Ｓ３に相当する時間が経過すると、無線フレームＦＲ４を送信する（図９の（ｂ）参照）。【０１０１】
受信機２は、無線フレームＦＲ１〜ＦＲ４を受信することによって、それぞれ、検出タイミングＤＴ１〜ＤＴ４で受信信号が“１”であることを検出できる。その結果、信号検出間隔Ｓ１，Ｓ２，Ｓ３が検出される。【０１０２】
無線フレームＦＲ１〜ＦＲ４の各々は、Ｔ＋Ｍ以上のフレーム長を有する。ここで、Ｍは、ＣＳＭＡ／ＣＡの無線通信方式によって無線フレームを送信するときの送信機１と受信機２との間におけるタイミングの最大のずれ量であり、Ｍ＝５０（ＤＩＦＳ）＋１５×２０（バックオフ）＝３５０μｓである。【０１０３】
従って、無線フレームＦＲ１〜ＦＲ４の各々のフレーム長をＴ＋Ｍ以上に設定することによって、無線フレームＦＲ１〜ＦＲ４は、それぞれ、受信機２における検出タイミングＤＴ１〜ＤＴ４を跨ぐように送信されるので、受信機２が３個の信号検出間隔Ｓ１，Ｓ２，Ｓ３を安定して検出できる。【０１０４】
図１０は、送信機１における無線フレームの他の送信方法を示すフローチャートである。なお、図１０に示すフローチャートは、上位レイヤ（アプリケーション層）で実行されるフローチャートである。【０１０５】
図１０を参照して、無線フレームの送信が開始されると、送信タイミング制御部１１２は、タイマー時刻ｔをｔ＝０に設定し（ステップＳ２１）、最初の無線フレームＦＲ１を送信する（ステップＳ２２）。【０１０６】
そして、送信タイミング制御部１１２は、ｉ＝１を設定し（ステップＳ２３）、タイマー時刻ｔが信号検出間隔Ｓｉ以上であるか否かを判定する（ステップＳ２４）。【０１０７】
ステップＳ２４において、タイマー時刻ｔが信号検出間隔Ｓｉ以上であると判定されると、無線フレームＦＲ２を送信する（ステップＳ２５）。【０１０８】
その後、送信タイミング制御部１１２は、ｉ＝ｎ−１であるか否かを判定する（ステップＳ２６）。ステップＳ２６において、ｉ＝ｎ−１でないと判定されたとき、送信タイミング制御部１１２は、ｉ＝ｉ＋１を設定する（ステップＳ２７）。その後、一連の動作は、ステップＳ２４へ戻り、ステップＳ２６において、ｉ＝ｎ−１であると判定されるまで、上述したステップＳ２４〜ステップＳ２７が繰り返し実行される。そして、ステップＳ２６において、ｉ＝ｎ−１であると判定されると、送信機１における無線フレームの送信動作は、終了する。【０１０９】
上述したステップＳ２２によって、図９の（ｂ）に示す無線フレームＦＲ１が送信される。そして、ステップＳ２４，Ｓ２５を１回目に実行するとき、無線フレームＦＲ１の送信開始時刻から信号検出間隔Ｓ１に相当する時間が経過すると、無線フレームＦＲ２が送信される（図９の（ｂ）参照）。【０１１０】
また、ステップＳ２４，Ｓ２５を２回目に実行するとき、無線フレームＦＲ２の送信開始時刻から信号検出間隔Ｓ２に相当する時間が経過すると、無線フレームＦＲ３が送信される（図９の（ｂ）参照）。【０１１１】
更に、ステップＳ２４，Ｓ２５を３回目に実行するとき、無線フレームＦＲ３の送信開始時刻から信号検出間隔Ｓ３に相当する時間が経過すると、無線フレームＦＲ４が送信される（図９の（ｂ）参照）。【０１１２】
図１０に示す示すフローチャートは、上述したように上位レイヤ（アプリケーション層）で実行されるので、キャリアセンスを行うステップと、キャリアセンスの結果、無線通信空間が空いているか否かを判定するステップとが図１０に示されていないが、送信機１の上位レイヤ（アプリケーション層）がステップＳ２５において無線フレームを送信した後、送信機１の下位レイヤ（ＭＡＣ層および物理層）が、キャリアセンスを行い、無線通信空間が空いているときに無線フレームを送信し、無線通信空間が空いていないとき無線フレームの送信を待機する。【０１１３】
従って、送信機１は、図１０に示すフローチャートに従って無線フレームを送信する場合も、無線通信空間が空いているとき無線フレームを送信し、無線通信空間が空いていないとき無線フレームの送信を待機する。【０１１４】
図１１は、無線信号および包絡線の概念図である。受信機２の広帯域ＲＦフィルタ２２は、アンテナ２１を介して無線フレームの受信信号を受信し、その受信した受信信号のうち、上述した周波数帯ＢＷの受信信号ＲＦ（図１１の（ａ）参照）をスイッチ２３および端子２４を介して包絡線検波回路２６へ出力する。【０１１５】
そして、包絡線検波回路２６は、受信信号ＲＦを包絡線検波し、包絡線ＥＶＬ（図１１の（ｂ）参照）を信号検出回路２７へ出力する。【０１１６】
信号検出回路２７は、包絡線ＥＶＬをサンプリング周期Ｔでサンプリングして包絡線ＥＶＬをディジタル信号に変換する。そして、信号検出回路２７は、ディジタル信号をマッチング回路２８へ出力する。【０１１７】
図１２は、マッチング回路２８の具体例を示す回路図である。受信機２のＩＤが信号検出間隔のパターン［Ｓ１Ｓ２Ｓ３］からなる場合、マッチング回路２８は、図１２に示すマッチング回路２８−１からなる。【０１１８】
図１２を参照して、マッチング回路２８−１は、フリップフロップ４１，４２，５１〜５３，ｐ１〜ｐ４と、ＡＮＤ回路６１〜６３とを含む。【０１１９】
フリップフロップ４１，４２，５１〜５３，ｐ１〜ｐ４は、直列に接続される。フリップフロップ４１，４２，５１〜５３，ｐ１〜ｐ３は、それぞれ、フリップフロップ４２，５１〜５３，ｐ１〜ｐ４から信号を受け、その受けた信号をそれぞれＡＮＤ回路６１、フリップフロップ４１，４２，５１〜５３，ｐ１，ｐ２へ出力する。また、フリップフロップ５１は、信号をＡＮＤ回路６２へも出力し、フリップフロップｐ１は、信号をＡＮＤ回路６３へも出力する。更に、フリップフロップｐ４は、信号検出回路２７から信号を受け、その受けた信号をフリップフロップｐ３へ出力する。【０１２０】
ＡＮＤ回路６１は、フリップフロップ４１からの信号とＡＮＤ回路６２からの信号との論理積を演算し、その演算結果を制御回路２９へ出力する。ＡＮＤ回路６２は、フリップフロップ５１からの信号とＡＮＤ回路６３からの信号との論理積を演算し、その演算結果をＡＮＤ回路６１へ出力する。ＡＮＤ回路６３は、フリップフロップｐ１からの信号と信号検出回路２７からの信号との論理積を演算し、その演算した論理積をＡＮＤ回路６２へ出力する。【０１２１】
受信機２のＩＤが信号検出間隔のパターン［Ｓ１Ｓ２Ｓ３］からなる場合、信号検出回路２７は、検出タイミングＤＴ１で包絡線ＥＶＬをサンプリングし、“１”からなる信号をマッチング回路２８−１へ出力する（図７の（ａ）参照）。【０１２２】
その後、信号検出回路２７は、サンプリング周期Ｔで包絡線ＥＶＬをサンプリングし、“０”からなる信号をマッチング回路２８−１へ出力する（図７の（ａ）参照）。【０１２３】
引き続いて、信号検出回路２７は、検出タイミングＤＴ２で“１”からなる信号をマッチング回路２８−１へ出力し、検出タイミングＤＴ２と検出タイミングＤＴ３との間の２つのサンプリングタイミングでは、“０”からなる信号をマッチング回路２８−１へ出力する（図７の（ａ）参照）。【０１２４】
更に、信号検出回路２７は、検出タイミングＤＴ３で“１”からなる信号をマッチング回路２８−１へ出力し、検出タイミングＤＴ３と検出タイミングＤＴ４との間の３つのサンプリングタイミングでは、“０”からなる信号をマッチング回路２８−１へ出力し、検出タイミングＤＴ４で“１”からなる信号をマッチング回路２８−１へ出力する（図７の（ａ）参照）。【０１２５】
その結果、マッチング回路２８−１は、ディジタル信号列［１０１００１０００１］を信号検出回路２７から受ける。【０１２６】
そして、検出タイミングＤＴ４で検出された“１”からなる信号がマッチング回路２８−１へ入力された時点で、フリップフロップ４１，４２，５１〜５３，ｐ１〜ｐ４は、それぞれ“１”，“０”，“１”，“０”，“０”，“１”，“０”，“０”，“０”からなる信号を出力する。【０１２７】
そうすると、ＡＮＤ回路６３は、フリップフロップｐ１からの信号（＝１）と、信号検出回路２７からの信号（＝１）との論理積を演算し、その演算結果（＝１）をＡＮＤ回路６２へ出力する。【０１２８】
また、ＡＮＤ回路６２は、フリップフロップ５１からの信号（＝１）と、ＡＮＤ回路６３からの信号（＝１）との論理積を演算し、その演算結果（＝１）をＡＮＤ回路６１へ出力する。【０１２９】
更に、ＡＮＤ回路６１は、フリップフロップ４１からの信号（＝１）と、ＡＮＤ回路６２からの信号（＝１）との論理積を演算し、その演算結果（＝１）を制御回路２９へ出力する。【０１３０】
このように、マッチング回路２８−１は、フリップフロップ４１，４２によって２Ｔの信号検出間隔Ｓ１を検出し、フリップフロップ５１〜５３によって３Ｔの信号検出間隔Ｓ２を検出し、フリップフロップｐ１〜ｐ４によって４Ｔの信号検出間隔Ｓ３を検出することによって、送信機１から受信した受信信号がＩＤ＝［Ｓ１Ｓ２Ｓ３］に一致することを検知する。【０１３１】
従って、マッチング回路２８から制御回路２９へ出力される信号が“１”からなる場合、送信機１から受信した受信信号がＩＤ＝［Ｓ１Ｓ２Ｓ３］に一致することを表し、マッチング回路２８から制御回路２９へ出力される信号が“０”からなる場合、送信機１から受信した受信信号がＩＤ＝［Ｓ１Ｓ２Ｓ３］に一致しないことを表す。【０１３２】
なお、フリップフロップ４１が出力する“１”からなる信号は、検出タイミングＤＴ１において検出された信号が“１”であることを表し、フリップフロップ５１が出力する“１”からなる信号は、検出タイミングＤＴ２において検出された信号が“１”であることを表し、フリップフロップｐ１が出力する“１”からなる信号は、検出タイミングＤＴ３において検出された信号が“１”であることを表し、フリップフロップｐ４およびＡＮＤ回路６３へ入力される“１”からなる信号は、検出タイミングＤＴ４において検出された信号が“１”であることを表す。【０１３３】
従って、フリップフロップ４１，５１，ｐ１の全てが“１”からなる信号を出力し、フリップフロップ４１，５１，ｐ１の全てが“１”からなる信号を出力した時点で“１”からなる信号が制御回路２９に入力されることは、ディジタル信号列［１０１００１０００１］に基づいて受信機２の識別子を表す複数の信号検出間隔Ｓ１，Ｓ２，Ｓ３を検出するための複数の検出タイミングＤＴ１〜ＤＴ４の全てにおいて“１”からなる信号が検出されていると判定することに相当する。【０１３４】
また、フリップフロップ４１，４２は、２Ｔの信号検出間隔Ｓ１を検出し、フリップフロップ５１〜５３は、３Ｔの信号検出間隔Ｓ２を検出し、フリップフロップｐ１〜ｐ４は、４Ｔの信号検出間隔Ｓ３を検出するので、フリップフロップ４１，５１，ｐ１の全てが“１”からなる信号を出力し、フリップフロップ４１，５１，ｐ１の全てが“１”からなる信号を出力した時点で“１”からなる信号が制御回路２９に入力されることは、信号検出回路２７から受けたディジタル信号列［１０１００１０００１］に基づいて検出された複数の信号検出間隔Ｓ１，Ｓ２，Ｓ３が受信機２の識別子に一致することに相当する。【０１３５】
図１３は、非同期検波における受信信号の概念図である。図１３を参照して、非同期検波においては、複数のチャネルで送信された複数の無線フレームの複数の受信信号が重なって検出される。【０１３６】
従って、受信機２は、送信機１から送信された無線フレームと、送信機１以外の無線装置から送信された無線フレームとを受信する。【０１３７】
そこで、この発明の実施の形態１においては、図７に示す検出タイミングＤＴ１〜ＤＴ４で検出される“１”からなる信号は、送信機１から送信された無線フレームに基づいていなくてもよく、送信機１以外のいずれの無線装置から送信された無線フレームに基づいていてもよい。【０１３８】
つまり、この発明の実施の形態１においては、信号検出回路２７は、検出タイミングＤＴ１〜ＤＴ４で無線フレームの受信信号が有れば、“１”からなる信号を検出し、検出タイミングＤＴ１〜ＤＴ４で無線フレームの受信信号が無ければ、“０”からなる信号を検出し、“１”からなる信号を受信することだけに意味を持たせる。【０１３９】
図１４は、複数のチャネルからの無線フレームを受信する場合の概念図である。図１４を参照して、送信機１は、例えば、チャネルＣＨ１で無線フレームを送信し、受信機２は、例えば、チャネルＣＨ１，ＣＨ６，ＣＨ１１で送信された複数の無線フレームを受信するものとする。【０１４０】
受信機２における検出タイミングＤＴ１を跨ぐ無線フレームは、チャネルＣＨ１で送信された無線フレームと、チャネルＣＨ６で送信された無線フレームとが重ね合わされたものからなる。【０１４１】
また、受信機２における検出タイミングＤＴ２を跨ぐ無線フレームは、チャネルＣＨ１で送信された無線フレームと、チャネルＣＨ６で送信された無線フレームと、チャネルＣＨ１１で送信された無線フレームとが重ね合わされたものからなる。【０１４２】
更に、受信機２における検出タイミングＤＴ３を跨ぐ無線フレームは、チャネルＣＨ６で送信された無線フレームと、チャネルＣＨ１１で送信された無線フレームとが重ね合わされたものからなる。【０１４３】
更に、受信機２における検出タイミングＤＴ４を跨ぐ無線フレームは、チャネルＣＨ１で送信された無線フレームと、チャネルＣＨ６で送信された無線フレームと、チャネルＣＨ１１で送信された無線フレームとが重ね合わされたものからなる。【０１４４】
その結果、検出タイミングＤＴ３においては、送信機１から送信された無線フレームが存在しないにも拘わらず、受信機２は、検出タイミングＤＴ１〜ＤＴ４の全てにおいて“１”からなる信号を検出し、受信した無線フレームの受信信号が受信機２のＩＤ＝［Ｓ１Ｓ２Ｓ３］に一致すると判定する。【０１４５】
このように、この発明の実施の形態１においては、受信機２は、送信機１が送信した無線フレームと、送信機１以外の無線装置が送信した無線フレームとの両方に基づいて各検出タイミングＤＴ１〜ＤＴ４において“１”からなる信号を検出するので、たとえ、送信機１が検出タイミングＤＴ１〜ＤＴ４を跨ぐように無線フレームを送信できなくても、送信機１以外の無線装置が検出タイミングＤＴ１〜ＤＴ４を跨ぐように無線フレームを送信すれば、受信機２は、受信した無線フレームの受信信号が受信機２のＩＤ＝［Ｓ１Ｓ２Ｓ３］に一致すると判定する。【０１４６】
従って、受信機２が起動状態へ移行しないのを抑制できる。即ち、干渉波が存在する場合でも、所望の制御を行うことができる。【０１４７】
特に、送信機１にとっての隠れ端末が存在する場合、隠れ端末が送信した無線フレームを受信機２のＩＤを検出するための無線フレームとして使用できる。【０１４８】
図１５は、無線通信システム１０において受信機２をスリープ状態から起動状態へ移行させる動作を示すフローチャートである。【０１４９】
なお、図１５においては、受信機２がスリープ状態にあり、スイッチ２３が端子２４に接続されていることを前提として、受信機２をスリープ状態から起動状態へ移行させる動作を説明する。【０１５０】
図１５を参照して、受信機２をスリープ状態から起動状態へ移行させる動作が開始されると、送信機１は、図８または図１０に示すフローチャートに従って複数の無線フレームを送信する（ステップＳ３１）。【０１５１】
そして、受信機２の広帯域ＲＦフィルタ２２は、アンテナ２１を介して無線フレームを受信し（ステップＳ３２）、その受信した無線フレームの受信信号のうち、周波数帯域ＢＷを有する信号を通過させ、周波数帯域ＢＷを有する受信信号をスイッチ２３および端子２４を介して包絡線検波回路２６へ出力する。【０１５２】
その後、包絡線検波回路２６は、無線フレームの受信信号を包絡線検波し（ステップＳ３３）、その検波した包絡線を信号検出回路２７へ出力する。【０１５３】
信号検出回路２７は、包絡線をサンプリング周期でサンプリングして包絡線をディジタル信号列に変換し（ステップＳ３４）、その変換したディジタル信号列をマッチング回路２８へ出力する。【０１５４】
マッチング回路２８は、ディジタル信号列における“１”の間隔を、受信機２のＩＤを表す１つまたは複数の信号検出間隔にマッチングする（ステップＳ３５）。【０１５５】
そして、制御回路２９は、“１”からなる信号をマッチング回路２８から受けたか否かを判定する（ステップＳ３６）。【０１５６】
ステップＳ３６において、制御回路２９は、“１”からなる信号をマッチング回路２８から受けたと判定したとき、スリープ状態から起動状態へ移行するように無線インタフェース３０およびホストシステム３１を制御し、無線インタフェース３０およびホストシステム３１は、スリープ状態から起動状態へ移行する（ステップＳ３７）。【０１５７】
一方、ステップＳ３６において、制御回路２９は、“１”からなる信号をマッチング回路２８から受けなかったと判定したとき、スリープ状態を維持するように無線インタフェース３０およびホストシステム３１を制御し、無線インタフェース３０およびホストシステム３１は、スリープ状態を維持する（ステップＳ３８）。【０１５８】
そして、ステップＳ３７またはステップＳ３８の後、一連の動作が終了する。【０１５９】
ステップＳ１において、送信機１が図８または図１０に示すフローチャートに従って複数の無線フレームを送信した結果、受信機２は、送信機１から受信した受信信号が受信機２のＩＤを表す複数の信号検出間隔のパターン［Ｓ１Ｓ２Ｓ３］に一致することを検出する（ステップＳ３５参照）。ここで、受信機２は、検出タイミングＤＴ１〜ＤＴ４の各々において受信信号が“１”であることを検出し、隣接する２つの検出タイミング（ＤＴ１，ＤＴ２等）間の時間間隔は、複数の信号検出間隔Ｓ１Ｓ２Ｓ３のうちの１つの信号検出間隔に等しくなる。また、送信機１は、キャリアセンスの結果、無線通信空間が空いているとき、１つの無線フレームを送信する（図８のステップＳ１１，Ｓ１２の“ＹＥＳ”，Ｓ１３，Ｓ１４および図１０のステップＳ２５参照）。更に、送信機１は、キャリアセンスの結果、無線通信空間が空いていると判定するまで、無線フレームの送信を待機する（図８のステップＳ１１，Ｓ１２の“ＮＯ”参照）。更に、上述したように、送信機１は、図１０に示すフローチャートに従って無線フレームを送信する場合も、無線通信空間が空いているとき無線フレームを送信し、無線通信空間が空いていないとき無線フレームの送信を待機する。【０１６０】
従って、送信機１がステップＳ１において図８または図１０に示すフローチャートに従って複数の無線フレームを送信することは、送信機１が、無線通信空間が空いているとき、スリープ状態から起動状態へ移行させたい無線装置（＝受信機２）における無線フレームの検出タイミング間の時間間隔が無線装置（＝受信機２）を識別するための識別子を表す１つまたは複数の信号検出間隔のうちの１つまたは複数の信号検出間隔を構成するように１つの無線フレームを所望の周波数帯で送信し、キャリアセンスの結果、無線通信空間が空いていないとき、１つの無線フレームの送信を待機する送信処理をキャリアセンスを行う毎に実行することに相当する。【０１６１】
この場合、１つの無線フレームによって複数の信号検出間隔を構成することができる。例えば、図９の（ａ）に示す検出タイミングＤＴ１から検出タイミングＤＴ３までの時間長に相当するフレーム長を有する１つの無線フレームを送信することによって、受信機２は、その１つの無線フレームの受信信号に基づいて検出タイミングＤＴ１，ＤＴ２，ＤＴ３で“１”を検出し、複数の信号検出間隔Ｓ１，Ｓ２を検出する。【０１６２】
従って、送信機１は、無線通信空間が空いているとき、スリープ状態から起動状態へ移行させたい無線装置（＝受信機２）における無線フレームの検出タイミング間の時間間隔が無線装置（＝受信機２）を識別するための識別子を表す１つまたは複数の信号検出間隔のうちの１つまたは複数の信号検出間隔を構成するように１つの無線フレームを所望の周波数帯で送信することにした。【０１６３】
図１６は、図１に示す受信機２の他の構成を示す概略図である。この発明の実施の形態１による無線通信システム１０は、受信機２に代えて図１６に示す受信機２Ａを備えていてもよい。【０１６４】
図１６を参照して、受信機２Ａは、図３に示す受信機２に強度検出回路３２を追加したものであり、その他は、受信機２と同じである。【０１６５】
強度検出回路３２は、包絡線検波回路２６と信号検出回路２７との間に配置される。強度検出回路３２は、包絡線検波回路２６から検波結果を受け、その受けた検波結果の強度である受信信号強度を検出する。そして、強度検出回路３２は、その検出した受信信号強度を閾値ＴＩと比較し、受信信号強度が閾値ＴＩよりも大きいとき、その検出した受信信号強度を有する検波信号を信号検出回路２７へ出力する。一方、強度検出回路３２は、その検出した受信信号強度が閾値ＴＩ以下であるとき、その検出した受信信号強度を有する検波信号を破棄する。【０１６６】
このように、強度検出回路３２は、包絡線検波回路２６から受けた検波結果のうち、閾値ＴＩよりも大きい受信信号強度を有する検波信号のみを信号検出回路２７へ出力する。そして、信号検出回路２７は、強度検出回路３２からの検波信号をサンプリング周期でサンプリングして検波信号をディジタル信号列に変換する。【０１６７】
なお、受信機２Ａにおいては、無線インタフェース３０およびホストシステム３１が動作を停止し、かつ、広帯域ＲＦフィルタ２２、包絡線検波回路２６、強度検出回路３２、信号検出回路２７、マッチング回路２８および制御回路２９が動作している状態を「スリープ状態」と言い、広帯域ＲＦフィルタ２２、包絡線検波回路２６、強度検出回路３２、信号検出回路２７、マッチング回路２８、制御回路２９、無線インタフェース３０およびホストシステム３１が動作している状態を「起動状態」と言う。【０１６８】
図１７は、閾値ＴＩの決定方法を説明する図である。受信機２Ａの動作状態を制御する送信機１からの無線フレームを受信機２Ａで正常に受信できたときの無線フレームの受信信号強度の最小値（＝ｃ）を予め測定する。【０１６９】
そして、閾値ＴＩをＴＩ＝ｃ−β（β＞０）と決定する。ここで、βは、マージンであり、例えば、６ｄＢである。即ち、受信信号強度の最小値（＝ｃ）よりもβだけ低い受信信号強度を閾値ＴＩと決定する。【０１７０】
これによって、無線フレームＦＲ７〜ＦＲ１２が除外され、無線フレームＦＲ６，ＦＲ１３が受信信号と受信機２ＡのＩＤとのマッチングに用いられる。【０１７１】
一般的には、送信機１が使用するチャネル（＝ＣＨ１）と異なるチャネルで信号を送信する無線装置ＥＸは、送信機１よりも受信機２Ａから遠い位置に存在する場合が多い。その結果、無線装置ＥＸから送信された無線フレームの受信信号強度は、送信機１から送信された無線フレームの受信信号強度よりも弱くなる。【０１７２】
従って、閾値ＴＩを導入することによって、受信機２Ａは、無線装置ＥＸから送信された干渉フレーム（無線フレームＦＲ７〜ＦＲ１２）を除外して受信信号が自己のＩＤにマッチングするか否かを判定できる。【０１７３】
図１８は、無線通信システム１０において図１６に示す受信機２Ａをスリープ状態から起動状態へ移行させる動作を示すフローチャートである。【０１７４】
なお、図１８においては、受信機２Ａがスリープ状態にあり、スイッチ２３が端子２４に接続されていることを前提として、受信機２Ａをスリープ状態から起動状態へ移行させる動作を説明する。【０１７５】
図１８に示すフローチャートは、図１５に示すフローチャートのステップＳ３３とステップＳ３４との間にステップＳ３２Ａを追加したものであり、その他は、図１５に示すフローチャートと同じである。【０１７６】
図１８を参照して、受信機２Ａをスリープ状態から起動状態へ移行させる動作が開始されると、上述したステップＳ３１〜Ｓ３３が順次実行される。【０１７７】
ステップＳ３３の後、受信機２Ａの強度検出回路３２は、包絡線検波回路２６から受けた検波結果の受信信号強度を検出する。そして、強度検出回路３２は、受信信号強度を閾値ＴＩと比較し、閾値ＴＩよりも大きい受信信号強度を有する検波信号を検出して信号検出回路２７へ出力する。【０１７８】
その後、上述したステップＳ３４〜ステップＳ３８が順次実行され、一連の動作が終了する。【０１７９】
このように、受信機２Ａは、閾値ＴＩよりも大きい受信信号強度を有する検波信号を検出し、その検出した検波信号が受信機２ＡのＩＤに一致するか否かを判定するので、送信機１以外の無線装置ＥＸから送信された干渉フレームを除外して無線フレームの受信信号が受信機２ＡのＩＤに一致するか否かを判定できる。【０１８０】
図１９は、図１に示す受信機２の更に他の構成を示す概略図である。この発明の実施の形態１による無線通信システム１０は、受信機２に代えて図１９に示す受信機２Ｂを備えていてもよい。【０１８１】
図１９を参照して、受信機２Ｂは、図３に示す受信機２の包絡線検波回路２６を同期検波回路２６Ａに代えたものであり、その他は、受信機２と同じである。【０１８２】
同期検波回路２６Ａは、広帯域ＲＦフィルタ２２から端子２４を介して無線信号の受信信号を受け、その受けた受信信号を同期検波する。そして、同期検波回路２６Ａは、その同期検波の結果を信号検出回路２７へ出力する。【０１８３】
図２０は、図１９に示す同期検波回路２６Ａの構成を示す概略図である。図２０を参照して、同期検波回路２６Ａは、乗算器２６１と、搬送波再生回路２６２と、ローパスフィルタ（ＬＰＦ：Ｌｏｗ  Ｐａｓｓ  Ｆｉｌｔｅｒ）２６３とを含む。【０１８４】
乗算器２６１は、無線信号の受信信号を広帯域ＲＦフィルタ２２から端子２４を介して受け、搬送波再生回路２６２から搬送波を受ける。そして、乗算器２６１は、無線信号の受信信号に搬送波を乗算し、その乗算結果をＬＰＦ２６３へ出力する。【０１８５】
搬送波再生回路２６２は、無線信号の受信信号を広帯域ＲＦフィルタ２２から端子２４を介して受け、その受けた無線信号の受信信号に基づいて、搬送波を再生する。この搬送波は、無線信号が送信されたときの搬送波と同じ周波数および位相を有する。そして、搬送波再生回路２６２は、その再生した搬送波を乗算器２６１へ出力する。【０１８６】
ＬＰＦ２６３は、乗算器２６１から乗算結果を受け、その受けた乗算結果の高域成分を除去して乗算結果の低域成分を検波結果として信号検出回路２７へ出力する。【０１８７】
受信機２Ｂにおいては、信号検出回路２７は、同期検波回路２６Ａからの検波結果をサンプリング周期でサンプリングしてディジタル信号列に変換する。【０１８８】
このように、受信機２Ｂは、無線信号の受信信号を同期検波して受信信号をディジタル信号列に変換する。【０１８９】
なお、実施の形態１による無線通信システム１０は、図１６に示す受信機２Ａの包絡線検波回路２６を同期検波回路２６Ａに代えた受信機を備えていてもよい。【０１９０】
また、実施の形態１による無線通信システム１０は、図３に示す受信機２および図１６に示す受信機２Ａの包絡線検波回路２６を再生検波回路に代えた受信機を備えていてもよい。【０１９１】
再生検波回路は、無線信号の受信信号を広帯域ＲＦフィルタ２２から端子２４を介して受け、その受けた無線信号の受信信号を再生検波（非特許文献１）によって検波する。そして、再生検波回路は、その検波結果を信号検出回路２７へ出力する。また、再生検波回路は、閾値以上の強度を有する受信信号を強度検出回路３２から受け、その受けた受信信号を再生検波し、その検波結果を信号検出回路２７へ出力する。【０１９２】
このように、実施の形態１による無線通信システム１０は、包絡線検波、同期検波および再生検波等によって無線信号の受信信号を検波する受信機を備えていてもよく、一般的には、任意の方法によって無線信号の受信信号を検波する受信機を備えていてもよい。【０１９３】
図２１は、無線通信システム１０において受信機２をスリープ状態から起動状態へ移行させる他の動作を示すフローチャートである。【０１９４】
図２１に示すフローチャートは、図１５に示すフローチャートのステップＳ３３，Ｓ３４をそれぞれステップＳ３３Ａ，３４Ａに代えたものであり、その他は、図１５に示すフローチャートと同じである。【０１９５】
図２１を参照して、受信機２をスリープ状態から起動状態へ移行させる動作が開始されると、上述したステップＳ３１，Ｓ３２が順次実行される。【０１９６】
そして、ステップＳ３２の後、受信機２は、無線フレームの受信信号を検波し（ステップＳ３３Ａ）、検波結果をサンプリング周期でサンプリングして検波結果をディジタル信号列に変換する（ステップＳ３４Ａ）。【０１９７】
その後、上述したステップＳ３５〜ステップＳ３８が順次実行され、一連の動作が終了する。【０１９８】
なお、無線通信システム１０において図１６に示す受信機２Ａをスリープ状態から起動状態へ移行させる動作は、図１８に示すフローチャートのステップＳ３３，Ｓ３４をそれぞれ図２１に示すステップＳ３３Ａ，Ｓ３４Ａに代えたフローチャートに従って実行されてもよい。【０１９９】
上述したように、実施の形態１による無線通信システム１０においては、送信機１は、受信機２，２Ａ，２Ｂにおける信号検出間隔が受信機２，２Ａ，２ＢのＩＤになるように複数の無線フレームを送信し、受信機２，２Ａ，２Ｂは、送信機１または送信機１以外の無線装置から受信した無線信号の受信信号に基づいて自己のＩＤに一致する信号検出間隔を検出すれば、スリープ状態から起動状態へ移行する。【０２００】
従って、干渉波が存在する場合でも、受信機２，２Ａ，２Ｂがスリープ状態から起動状態しないことを抑制できる。即ち、干渉波が存在する場合でも、所望の制御を行うことができる。【０２０１】
上記においては、信号検出回路２７は、各検出タイミングＤＴ１〜ＤＴ４において“１”からなる信号を検出すると説明したが、実施の形態１においては、これに限らず、信号検出回路２７は、各検出タイミングＤＴ１〜ＤＴ４において閾値Ｖｔｈよりも大きい値からなる信号を検出してもよい。即ち、信号検出回路２７は、各検出タイミングＤＴ１〜ＤＴ４において受信信号が存在すれば、閾値Ｖｔｈよりも大きい値からなる信号を検出してもよい。そして、閾値Ｖｔｈよりも大きい値は、正の整数からなる。【０２０２】
閾値Ｖｔｈよりも大きい値は、マッチング回路２８に入力されるが、閾値Ｖｔｈよりも大きい値が“１”以外の値からなっていても、閾値Ｖｔｈよりも大きい値は、マッチング回路２８においてＨレベルの信号として処理される。【０２０３】
また、上記においては、送信基準時刻は、最初の無線フレームＦＲ１の送信終了時刻に設定されると説明したが、実施の形態１においては、これに限らず、送信基準時刻は、任意の時刻に設定されてもよい。【０２０４】
［実施の形態２］
図２２は、実施の形態２による無線通信システムの構成を示す概略図である。図２２を参照して、実施の形態２による無線通信システム１００は、送信機１０１と、受信機１０２と、機器１０３とを備える。【０２０５】
送信機１０１は、実施の形態１における送信機１と同じ構成からなる。そして、送信機１０１は、機器１０３を制御するとき、ＣＳＭＡ／ＣＡの無線通信方式に従って、機器１０３のＩＤ（＝識別子）を表わす１つまたは複数の信号検出間隔が受信機１０２で検出されるように複数の周波数チャネルを含む所望の周波数帯で無線フレームを受信機１０２へ送信する。なお、所望の周波数帯については、実施の形態１において説明したとおりである。【０２０６】
受信機１０２は、機器１０３のＩＤを保持している、そして、受信機１０２は、複数の周波数チャネルを含む所望の周波数帯で無線フレームを送信機１０１から受信し、その受信した無線フレームが機器１０３のＩＤに一致するとき、機器１０３を制御する。【０２０７】
機器１０３は、照明、スピーカ、モニター、カメラおよびモータ等のいずれかの電気機器からなる。そして、機器１０３は、受信機１０２によって制御される。例えば、機器１０３は、照明からなる場合、オン／オフを制御され、または明るさを制御される。また、機器１０３は、スピーカからなる場合、音量を制御される。【０２０８】
図２３は、図２２に示す受信機１０２の構成を示す概略図である。図２３を参照して、受信機１０２は、図３に示す受信機２のスイッチ２３、端子２４，２５、無線インターフェース３０およびホストシステム３１を削除し、包絡線検波回路２６を検波回路１０２１に代えたものであり、その他は、受信機２と同じである。【０２０９】
検波回路１０２１は、広帯域ＲＦフィルタ２２と信号検出回路２７との間に配置される。そして、検波回路１０２１は、上述した包絡線検波、同期検波および再生検波のいずれかによって受信信号を検波し、その検波結果を信号検出回路２７へ出力する。【０２１０】
受信機１０２においては、マッチング回路２８は、機器１０３のＩＤを表わす信号検出間隔［Ｓ１Ｓ２Ｓ３・・・Ｓｋ−１］に対応して直列に接続されたフリップフロップを含む。また、受信機１０２においては、制御回路２９は、“１”からなる信号をマッチング回路２８から受けると、機器１０３に対して所望の制御を行う。【０２１１】
図２４は、図２２に示す無線通信システム１００における動作を示すフローチャートである。【０２１２】
図２４に示すフローチャートは、図２１に示すフローチャートのステップＳ３５，Ｓ３７をそれぞれステップＳ３５Ａ，Ｓ３７Ａに代え、ステップＳ３８を削除し、ステップＳ３９を追加したものであり、その他は、図２１に示すフローチャートと同じである。【０２１３】
図２４を参照して、無線通信システム１００における動作が開始されると、送信機１０１は、上述したステップＳ３１を実行し、受信機１０２は、上述したステップＳ３２，Ｓ３３Ａ，Ｓ３４Ａを順次実行する。この場合、送信機１０１は、ステップＳ３１において、機器１０３のＩＤを表わす１つまたは複数の信号検出間隔が受信先の受信機１０２で検出されるように複数の無線フレームをＣＳＭＡ／ＣＡの無線通信方式に従って送信する。また、受信機１０２は、ステップＳ３３Ａにおいて、包絡線検波、同期検波および再生検波のいずれかによって無線信号の受信信号を検波する。【０２１４】
そして、ステップＳ３４Ａの後、受信機１０２のマッチング回路２８は、ディジタル信号列における“１”の間隔を、機器１０３のＩＤを表わす１つまたは複数の信号検出間隔にマッチングする（ステップＳ３５Ａ）。【０２１５】
その後、受信機１０２は、上述したステップＳ３６を実行する。【０２１６】
ステップＳ３６において、“１”からなる信号を受けなかった判定されたとき、一連の動作は、終了する。【０２１７】
一方、ステップＳ３６において、“１”からなる信号を受けたと判定されたとき、受信機１０２の制御回路２９は、機器１０３を制御する（ステップＳ３７Ａ）。例えば、機器１０３が照明からなるとき、制御回路２９は、オンするように照明を制御し、またはオフするように照明を制御し、明るさを暗くするように照明を制御する。【０２１８】
そして、機器１０３は、制御回路２９からの制御に従って制御内容を実行する（ステップＳ３９）。より具体的には、機器１０３は、照明からなるとき、制御回路２９からの制御に従って、オンし、またはオフし、または明るさを明るくする。これによって、一連の動作が終了する。【０２１９】
このように、送信機１０１は、無線通信空間が空いているとき、機器１０３のＩＤを表わす１つまたは複数の信号検出間隔が受信機１０２で検出されるように無線フレームを受信機１０２へ送信し、無線通信空間が空いていないとき、無線フレームの送信を待機する。そして、無線通信空間が空いていないとき、送信機１０１以外の無線装置が無線フレームを送信する。その結果、受信機１０２は、無線通信空間が空いているとき、送信機１０１からの無線フレームを受信し、無線通信空間が空いていないとき、送信機１０１以外の無線装置から無線フレームを受信する。そして、受信機１０２は、機器１０３の識別子を表す１つまたは複数の信号検出間隔の各々を検出する検出タイミングにおいて閾値Ｖｔｈよりも大きい値からなる信号を検出して受信信号が機器１０３の識別子に一致すると判定し、機器１０３を制御する。また、機器１０３における制御内容は、機器１０３の具体例に応じて各種の内容からなり、機器１０３の１つの具体例においても、「オン」、「オフ」、および「明るくする」等、各種の内容からなり、受信機１０２の制御回路２９は、各種の制御内容から所望の制御内容を選択し、その選択した制御内容を実行するように機器１０３を制御する。【０２２０】
従って、干渉波が存在する場合でも、所望の制御を行うことができる。【０２２１】
なお、実施の形態２においては、無線通信システム１００は、受信機１０２に強度検出回路３２を追加した構成からなる受信機を受信機１０２に代えて備えていてもよい。【０２２２】
実施の形態２におけるその他の説明は、実施の形態１における説明と同じである。【０２２３】
［実施の形態３］
図２５は、実施の形態３による無線通信システムの構成を示す概略図である。図２５を参照して、実施の形態３による無線通信システム３００は、送信機３０１〜３０ｉ（ｉは１以上の整数）と、受信機３１１〜３１ｊ（ｊは、１以上の整数）とを備える。【０２２４】
無線通信システム３００は、例えば、病院内に配置される。【０２２５】
受信機３１１〜３１ｊは、ケーブル３２０を介してサーバ３３０に接続される。そして、受信機３１１〜３１ｊは、予め決められた位置に所望の間隔で配置される。【０２２６】
送信機３０１〜３０ｉの各々は、自己のＩＤを表わす信号検出間隔のパターン［Ｓ１Ｓ２Ｓ３・・・Ｓｋ−１］が受信機（受信機３１１〜３１ｊのいずれか）で検出されるように複数の無線フレームを一定周期毎にブロードキャストする。一定周期は、例えば、１０分である。そして、送信機３０１〜３０ｉの各々は、例えば、病院内の職員によって携帯される。【０２２７】
受信機３１１〜３１ｊの各々は、送信機３０１〜３０ｉの全てのＩＤを予め保持している。そして、受信機３１１〜３１ｊの各々は、送信機３０１〜３０ｉのいずれかから複数の無線フレームを受信し、その受信した複数の無線フレームの受信信号が送信機のＩＤ（送信機３０１〜３０ｉのいずれかのＩＤ）に一致することを検出すると、自己のＩＤと、送信機のＩＤ（送信機３０１〜３０ｉのいずれかのＩＤ）とをケーブル３２０を介してサーバ３３０へ送信する。【０２２８】
サーバ３３０は、受信機３１１〜３１ｊのＩＤと、受信機３１１〜３１ｊの配置位置とを対応付けて記憶している。また、サーバ３３０は、送信機３０１〜３０ｉのＩＤと職員の名前とを対応付けて記憶している。そして、サーバ３３０は、受信機（受信機３１１〜３１ｊのいずれか）から、受信機のＩＤ（受信機３１１〜３１ｊのいずれかのＩＤ）と送信機のＩＤ（送信機３０１〜３０ｉのいずれかのＩＤ）とを受信すると、その受信した受信機のＩＤに対応付けられた位置情報を検出するとともに、送信機のＩＤに対応付けられた職員の名前を検出し、その検出した職員の名前と位置情報とを対応付けて表示する。サーバ３３０は、この動作を受信機のＩＤおよび送信機のＩＤを受信する毎に行う。【０２２９】
図２６は、図２５に示す送信機３０１の構成を示す概略図である。図２６を参照して、送信機３０１は、図２に示す送信機１のホストシステム１１をホストシステム１１Ａに代えたものであり、その他は、送信機１と同じである。【０２３０】
ホストシステム１１Ａは、機器１０３のＩＤを予め保持している。そして、ホストシステム１１Ａは、キャリアセンスの結果、無線通信空間が空いているとき、機器１０３のＩＤを表わす１つまたは複数の信号検出間隔のうちの１つの信号検出間隔を構成する１つの無線フレームを送信するように無線インターフェース１２を制御し、無線通信空間が空いていないとき、１つの無線フレームの送信を待機するように無線インターフェース１２を制御する。【０２３１】
ホストシステム１１Ａは、図２に示すホストシステム１１の送信タイミング制御部１１２を送信タイミング制御部１１２Ａに代えたものであり、その他は、ホストシステム１１と同じである。【０２３２】
送信タイミング制御部１１２Ａは、キャリアセンス結果取得部１１１からキャリアセンスの結果を受け、その受けたキャリアセンスの結果に基づいて送信制御を行い、送信機３０１のＩＤに基づいて、無線インタフェース１２における無線フレームの送信タイミングを制御し、無線フレームを送信したい時間帯に、キャリアセンスの結果に基づいて無線通信空間が空いていると判定したとき、無線フレームを送信する。また、送信タイミング制御部１１２Ａは、無線フレームを送信したい時間帯に、キャリアセンスの結果に基づいて、無線通信空間が空いていないと判定したとき、無線インタフェース１２における無線フレームを送信しない。【０２３３】
なお、図２５に示す送信機３０２〜３０ｉの各々も、図２６に示す送信機３０１と同じ構成からなる。【０２３４】
図２７は、図２５に示す受信機３１１の構成を示す概略図である。図２７を参照して、受信機３１１は、図３に示す受信機２のスイッチ２３、端子２４，２５、無線インターフェース３０およびホストシステム３１を削除し、包絡線検波回路２６を検波回路３１１１に代え、マッチング回路２８を間隔検出回路３１１２に代え、制御回路２９を制御回路３１１３に代え、記憶手段３１１４を追加したものであり、その他は、受信機２と同じである。【０２３５】
検波回路３１１１は、広帯域ＲＦフィルタ２２と信号検出回路２７との間に配置される。そして、検波回路３１１１は、上述した包絡線検波、同期検波および再生検波のいずれかによって受信信号を検波し、その検波結果を信号検出回路２７へ出力する。【０２３６】
間隔検出回路３１１２は、信号検出回路２７からディジタル信号列を受け、その受けたディジタル信号列における“１”と“１”との間に存在する“０”の個数をカウントし、そのカウントした“０”の個数に基づいて１つまたは複数の信号検出間隔を検出する。そして、間隔検出回路３１１２は、その検出した１つまたは複数の信号検出間隔を制御回路３１１３へ出力する。【０２３７】
制御回路３１１３は、受信機３１１のＩＤを保持している。また、制御回路３１１３は、１つまたは複数の信号検出間隔を間隔検出回路３１１２から受ける。そして、制御回路３１１３は、その受けた１つまたは複数の信号検出間隔に一致する送信機のＩＤを記憶手段３１１４で検索する。制御回路３１１３は、検索の結果、１つまたは複数の信号検出間隔に一致する送信機のＩＤを検出すると、その検出した送信機のＩＤと、受信機３１１のＩＤとをケーブル３２０を介してサーバ３３０へ送信する。【０２３８】
一方、制御回路３１１３は、１つまたは複数の信号検出間隔に一致する送信機のＩＤを検出しないとき、１つまたは複数の信号検出間隔を破棄する。【０２３９】
記憶手段３１１４は、送信機３０１〜３０ｉの全てのＩＤを記憶する。【０２４０】
なお、図２５に示す受信機３１２〜３１ｊの各々も、図２７に示す受信機３１１と同じ構成からなる。【０２４１】
図２８は、図２５に示すサーバ３３０の構成を示す概略図である。図２８を参照して、サーバ３３０は、制御手段３３０１と、記憶手段３３０２と、表示手段３３０３とを含む。【０２４２】
制御手段３３０１は、送信機のＩＤ（送信機３０１〜３０ｉのいずれかのＩＤ）と、受信機のＩＤ（受信機３１１〜３１ｊのいずれかのＩＤ）とをケーブル３２０を介して受信する。【０２４３】
そして、制御手段３３０１は、記憶手段３３０２を検索し、その受けた受信機のＩＤに対応付けられた位置情報を記憶手段３３０２から検出する。また、制御手段３３０１は、位置情報を検出すると、記憶手段３３０２を検索し、送信機のＩＤに対応付けられた職員の名前を検出する。そうすると、制御手段３３０１は、内蔵したタイマーから現在時刻を取得し、現在時刻、位置情報および職員の名前を相互に対応付け、その対応付けた現在時刻、位置情報および職員の名前を表示手段３３０３へ出力する。【０２４４】
記憶手段３３０２は、受信機のＩＤと、受信機が配置された位置の位置情報とを対応付けて記憶する。また、記憶手段３３０２は、送信機のＩＤと職員の名前とを対応付けて記憶する。【０２４５】
表示手段３３０３は、対応付けられた現在時刻、位置情報および職員の名前を制御手段３３０１から受け、その受けた現在時刻、位置情報および職員の名前を対応付けて表示する。【０２４６】
図２９は、図２５に示す無線通信システム３００における動作を示すフローチャートである。【０２４７】
なお、図２９においては、図２５に示す送信機３０１が自己のＩＤを示す１つまたは複数の信号検出間隔が受信機３１２で検出される場合を例として無線通信システム３００の動作を説明する。【０２４８】
図２９に示すフローチャートは、図２４に示すフローチャートのステップＳ３５Ａ，Ｓ３６，Ｓ３７ＡをそれぞれステップＳ３５Ｂ，Ｓ３６Ａ，Ｓ３７Ｂに代え、ステップＳ３９をステップＳ４０〜Ｓ４３に代えたものであり、その他は、図２４に示すフローチャートと同じである。【０２４９】
図２９を参照して、一連の動作が開始されると、送信機３０１は、上述したステップＳ３１を実行する。この場合、送信機３０１は、自己のＩＤを表わす１つまたは複数の信号検出間隔が受信機３１２で検出されるように複数の無線フレームをブロードキャストする。【０２５０】
そして、受信機３１２は、上述したステップＳ３２，Ｓ３３Ａ，Ｓ３４Ａを順次実行する。【０２５１】
ステップＳ３４Ａの後、受信機３１２の間隔検出回路３１１１は、信号検出回路２７から受けたディジタル信号列における“１”と“１”との間の“０”の個数をカウントし、そのカウントした“０”の個数に基づいて、１つまたは複数の信号検出間隔を検出する（ステップＳ３５Ｂ）。そして、受信機３１２の間隔検出回路３１１２は、その検出した１つまたは複数の信号検出間隔を制御回路３１１３へ出力する。【０２５２】
制御回路３１１３は、１つまたは複数の信号検出間隔を間隔検出回路３１１２から受けると、記憶手段３１１４を検索し、その受けた１つまたは複数の信号検出間隔に一致する送信機３０１のＩＤを検出する（ステップＳ３６Ａ）。【０２５３】
そして、受信機３１２の制御手段３１１２は、自己のＩＤ（受信機３１２のＩＤ）および送信機３０１のＩＤをケーブル３２０を介してサーバ３３０へ送信する（ステップＳ３７Ｂ）。【０２５４】
サーバ３３０の制御手段３３０１は、受信機３１２のＩＤおよび送信機３０１のＩＤを受信する（ステップＳ４０）。そして、サーバ３３０の制御手段３３０１は、記憶手段３３０２を検索し、その受信した受信機のＩＤに対応付けられた位置情報を検出する（ステップＳ４１）。【０２５５】
その後、サーバ３３０の制御手段３３０１は、記憶手段３３０２を検索し、送信機３０１のＩＤに対応付けられた職員の名前を検出する（ステップＳ４２）。【０２５６】
そうすると、サーバ３３０の制御手段３３０１は、内蔵したタイマーから現在時刻を取得し、現在時刻、職員の名前および位置情報を相互に対応付けて表示手段３３０３へ出力し、表示手段３３０３は、現在時刻、職員の名前および位置情報を相互に対応付けて表示する（ステップＳ４３）。これによって一連の動作が終了する。【０２５７】
なお、送信機３０１が自己のＩＤを表わす１つまたは複数の信号検出間隔が受信機３１２以外の受信機３１１，３１３〜３１ｊのいずれかで検出される場合も、無線通信システム３００の動作は、図２９に示すフローチャートに従って実行される。【０２５８】
また、送信機３０１以外の送信機３０２〜３０ｉのＩＤを表わす１つまたは複数の信号検出間隔が受信機３１１〜３１ｊのいずれかで検出される場合も、無線通信システム３００の動作は、図２９に示すフローチャートに従って実行される。【０２５９】
そして、図２９に示すステップＳ３１，Ｓ３２，Ｓ３３Ａ，Ｓ３４Ａ，Ｓ３５Ｂ，Ｓ３６Ａ，Ｓ３７Ｂ，Ｓ４０〜Ｓ４３は、一定周期で繰り返し実行される。また、各送信機３０１〜３０ｉは、一定周期毎に、自己のＩＤを表わす１つまたは複数の信号検出間隔が受信機（受信機３１１〜３１ｊのいずれか）で検出されるように複数の無線フレームをブロードキャストする（ステップＳ３１）。その結果、サーバ３３０は、一定周期毎に、現在時刻における各職員の位置情報を表示する。従って、病院内の各職員が各時刻にどこに居るかを把握できる。【０２６０】
図２９に示すフローチャートに従えば、受信機が自己のＩＤ（受信機のＩＤ）と送信機のＩＤとをサーバ３３０へ送信することによって、サーバ３３０における動作（ステップＳ４０〜Ｓ４３）が実行される。そして、サーバ３３０は、送信機のＩＤに対応する職員の名前を、その職員の位置情報に対応付けて表示するという動作を実行する。その結果、受信機が自己のＩＤ（受信機のＩＤ）と送信機のＩＤとをサーバ３３０へ送信すれば、サーバ３３０の動作が実行され、受信機が自己のＩＤ（受信機のＩＤ）と送信機のＩＤとをサーバ３３０へ送信しなければ、サーバ３３０の動作が実行されない。これは、例えば、照明をオンまたはオフするのと同等である。【０２６１】
従って、受信機が自己のＩＤ（受信機のＩＤ）と送信機のＩＤとをサーバ３３０へ送信することは、受信機がサーバ３３０の動作を制御することに相当する。【０２６２】
上述したように、図２９に示すフローチャートにおいては、各送信機３０１〜３０ｉは、無線通信空間が空いているとき、自己のＩＤを表わす信号検出間隔が受信機３１１〜３１ｊのいずれかで検出されるように無線フレームをブロードキャストし、無線通信空間が空いていないとき、無線フレームの送信を待機する。そして、無線通信空間が空いていないとき、送信機３０１〜３０ｉ以外の無線装置が無線フレームを送信する。その結果、各受信機３１１〜３１ｊは、無線通信空間が空いているとき、各送信機３０１〜３０ｉからの無線フレームを受信し、無線通信空間が空いていないとき、各送信機３０１〜３０ｉ以外の無線装置から無線フレームを受信する。そして、各受信機３１１〜３１ｊは、受信した無線フレームに基づいて検出した１つまたは複数の信号検出間隔が送信機（送信機３０１〜３０ｉのいずれか）のＩＤに一致するとき、自己のＩＤ（受信機のＩＤ）と送信機のＩＤとをサーバ３３０へ送信し、サーバ３３０の動作を制御する。【０２６３】
従って、干渉波が存在する場合でも、所望の制御を行うことができる。【０２６４】
なお、実施の形態３においては、無線通信システム３００は、各受信機３１１〜３１ｊに強度検出回路３２を追加した構成からなるｊ個の受信機を受信機３１１〜３１ｊに代えて備えていてもよい。この場合、無線通信システム３００における動作は、図２９に示すフローチャートのステップＳ３２とステップＳ３３Ａとの間に、上述したステップＳ３２Ａ（図１８参照）を追加したフローチャートに従って実行される。【０２６５】
また、実施の形態３においては、無線通信システム３００は、病院内に限らず、ビル内に配置されていてもよく、一般的には、複数人が行動する施設内に配置されていればよい。【０２６６】
実施の形態３においては、１つの送信機および１つの受信機があれば、受信機がサーバ３３０の動作を制御できるので、実施の形態３による無線通信システム３００は、上述したように、送信機３０１〜３０ｉ（ｉは１以上の整数）と、受信機３１１〜３１ｊ（ｊは、１以上の整数）とを備えていればよい。【０２６７】
実施の形態３におけるその他の説明は、実施の形態１における説明と同じである。【０２６８】
上述した実施の形態１においては、送信機１は、スリープ状態から起動状態へ移行させたい受信機２のＩＤを表わす１つまたは複数の信号検出間隔が受信機２で検出されるように複数の無線フレームを送信し、受信機２は、送信機１から受信した無線フレームの受信信号が自己のＩＤに一致するとき、スリープ状態から起動状態へ移行することを説明した。即ち、受信機２が自己の動作を制御することを説明した。【０２６９】
また、実施の形態２においては、送信機１０１は、機器１０３のＩＤを表わす１つまたは複数の信号検出間隔が受信機１０２で検出されるように複数の無線フレームを送信し、受信機１０２は、送信機１０１から受信した無線フレームの受信信号が機器１０３のＩＤに一致するとき、機器１０３に対して各種の制御を行うことを説明した。即ち、受信機２が自己以外の機器１０３の動作を制御することを説明した。【０２７０】
更に、実施の形態３においては、各送信機３０１〜３０ｉは、自己のＩＤ（送信機のＩＤ）を表わす１つまたは複数の信号検出間隔が受信機（受信機３１１〜３１ｊのいずれか）で検出されるように複数の無線フレームを送信し、各受信機３１１〜３１ｊは、送信機（送信機３０１〜３０ｉのいずれか）から受信した無線フレームの受信信号が送信機（送信機３０１〜３０ｉのいずれか）のＩＤに一致するとき、サーバ３３０に対して、送信機（送信機３０１〜３０ｉのいずれか）のＩＤに対応する職員の名前と位置情報とを対応付けて表示する動作を行うように制御することを説明した。即ち、各受信機３１１〜３１ｊが自己以外のサーバ３３０の動作を制御することを説明した。【０２７１】
従って、この発明の実施の形態による送信機は、キャリアセンスの結果、無線通信空間が空いているとき、受信先の無線装置における無線フレームの検出タイミング間の時間間隔が識別子を表す１つまたは複数の信号検出間隔のうちの１つの信号検出間隔を構成するように１つの無線フレームを所望の周波数帯で送信し、キャリアセンスの結果、無線通信空間が空いていないとき、１つの無線フレームの送信を待機する送信処理をキャリアセンスを行う毎に実行すればよい。【０２７２】
また、この発明の実施の形態による送信方法は、キャリアセンスを行い、無線通信空間が空いているとき無線信号を送信し、無線通信空間が空いていないとき無線信号の送信を待機する無線通信方式に従って無線フレームを送信する送信方法であって、複数の周波数チャネルを含む所望の周波数帯でキャリアセンスする第１のステップと、キャリアセンスの結果、無線通信空間が空いているとき、受信先の無線装置における無線フレームの検出タイミング間の時間間隔が識別子を表す１つまたは複数の信号検出間隔のうちの１つの信号検出間隔を構成するように１つの無線フレームを所望の周波数帯で送信し、キャリアセンスの結果、無線通信空間が空いていないとき、１つの無線フレームの送信を待機する送信処理をキャリアセンスを行う毎に実行する第２のステップとを備えていればよい。【０２７３】
更に、この発明の実施の形態による受信機は、送信機から送信された無線フレームの受信信号を検波し、その検波結果から得られたディジタル信号列に基づいて検出された１つまたは複数の信号検出間隔が識別子に一致するとき、所望の制御を行うものであればよい。【０２７４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２７５】
この発明は、送信機、それにおける送信方法、送信機から無線信号を受信する受信機およびそれらを備える無線通信システムに適用される。
【図１】
0006055813.tif 000003
【図２】
0006055813.tif 000004
【図３】
0006055813.tif 000005
【図４】
0006055813.tif 000006
【図５】
0006055813.tif 000007
【図６】
0006055813.tif 000008
【図７】
0006055813.tif 000009
【図８】
0006055813.tif 000010
【図９】
0006055813.tif 000011
【図１０】
0006055813.tif 000012
【図１１】
0006055813.tif 000013
【図１２】
0006055813.tif 000014
【図１３】
0006055813.tif 000015
【図１４】
0006055813.tif 000016
【図１５】
0006055813.tif 000017
【図１６】
0006055813.tif 000018
【図１７】
0006055813.tif 000019
【図１８】
0006055813.tif 000020
【図１９】
0006055813.tif 000021
【図２０】
0006055813.tif 000022
【図２１】
0006055813.tif 000023
【図２２】
0006055813.tif 000024
【図２３】
0006055813.tif 000025
【図２４】
0006055813.tif 000026
【図２５】
0006055813.tif 000027
【図２６】
0006055813.tif 000028
【図２７】
0006055813.tif 000029
【図２８】
0006055813.tif 000030
【図２９】
0006055813.tif 000031